(57)【要約】【課題】自転車のサドルＳを乗り手の骨格に応じて、効率的なペダリング動作が可能な最適な位置に簡単に位置決めすることができるサドル位置決め装置１０を提供すること。【解決手段】鉛直方向に立てられた支柱１と、支柱１に沿ってそれぞれ上下移動可能に設けられた下スライダ２及び上スライダ３と、一端側が下スライダ２に回動可能に連結された長さ調節可能な下アーム４と、一端側が下アーム４に連結され、他端側が上スライダ３に回動可能に連結された長さ調節可能な中アーム５と、一端側が中アーム５に連結された長さ調節可能な上アーム６と、一端側が上アーム６に連結された水平アーム７と、水平アーム７に間隔調節可能に設けられ、サドルと当接する左右一対のガイド部材８・８と、から構成した。【選択図】図１
2011105268.tif 000002
【特許請求の範囲】
【請求項１】
自転車のサドルを乗り手に応じて位置決めするサドル位置決め装置であって、
鉛直方向に立てられた支柱と、
前記支柱に沿って上下移動可能に設けられ、前記自転車のクランクの先端に固定される下スライダと、
前記下スライダの上方において前記支柱に沿って上下移動可能に設けられた上スライダと、
一端側に前記下スライダに第一水平軸周りに回動可能に連結された前部連結部材が設けられ、他端側には後部連結部材が設けられた下アームと、
一端側に前記下アームの後部連結部材に第二水平軸周りに回動可能に連結され、所定の回動位置で固定可能な後部連結部材が設けられ、他端側には前記上スライダに第三水平軸周りに回動可能に連結された前部連結部材が設けられた中アームと、
一端側に前記中アームの前部連結部材に連結された前部連結部材が設けられ、他端側には後部連結部材が設けられ、前記中アームと所定の角度を成す上アームと、
一端側に前記上アームの後部連結部材に連結された基部連結部材が設けられ、該基部連結部材から前記上アームと直角を成して水平に延びる水平アームと、
前記水平アームに沿って水平移動可能に設けられ、前記サドルと当接する左右一対のガイド部材と、
を備え、
前記下アームの前部連結部材または後部連結部材が、該下アームに沿って相対移動し所定の移動位置で固定可能に設けられており、前記第一水平軸と前記第二水平軸との距離を前記乗り手の足の母指球から踝までの長さに応じて調節可能とされ、
前記中アームの後部連結部材または前部連結部材が、該中アームに沿って相対移動し所定の移動位置で固定可能に設けられており、前記第二水平軸と前記第三水平軸との距離を前記乗り手の下腿部の長さに応じて調節可能とされ、
前記上アームの前部連結部材または後部連結部材が、該上アームに沿って相対移動し所定の移動位置で固定可能に設けられており、前記第三水平軸と前記水平アームとの距離を前記乗り手の大腿部の長さに応じて調節可能とされ、
前記一対のガイド部材が、前記水平アームに沿って相対移動し所定の移動位置で固定可能に設けられており、該ガイド部材同士の間隔を前記乗り手の坐骨幅に応じて調節可能とされている、
ことを特徴とした自転車のサドル位置決め装置。
【請求項２】
前記下アームの前部連結部材が該下アームの一端部に固設されている一方、該下アームの後部連結部材が該下アームの他端側に沿って移動可能に設けられ、
前記中アームの後部連結部材が該中アームの一端側に沿って移動可能に設けられている一方、該中アームの前部連結部材が該中アームの他端部に固設され、
前記上アームの前部連結部材が該上アームの一端部に固設され、前記中アームの前部連結部材と一体に設けられている一方、該上アームの後部連結部材が該上アームの他端側に沿って移動可能に設けられている、
ことを特徴とした請求項１に記載の自転車のサドル位置決め装置。
【請求項３】
前記水平アームの基部連結部材が、該水平アームの一端部に固設されている一方、該水平アームの他端側にパイプ部材が該水平アームに沿って移動可能に被嵌され、
前記一のガイド部材が、前記パイプ部材に固設され、前記水平アーム上を移動し所定の移動位置で該水平アームに固定可能に設けられ、
前記他のガイド部材が、前記パイプ部材上を移動し所定の移動位置で該パイプ部材に固定可能に設けられている、
ことを特徴とした請求項１または請求項２に記載の自転車のサドル位置決め装置。
【発明の詳細な説明】
【技術分野】
【０００１】
本発明は、自転車のサドルを乗り手の骨格に応じて最適な位置に位置決めすることができるサドル位置決め装置に関する。
【背景技術】
【０００２】
周知のとおり、自転車の運動効率を高めるためには、乗り手の乗車姿勢や乗車位置等が重要である。なかでも、図９に示すように、サドルＳを位置決めするためのサドル後退距離Ｌ（クランク軸中心ＡからサドルＳまでの水平距離）は、サドル高Ｈ（クランク軸中心Ａからサドル座面までの距離）とともに、ペダリング時の乗り手の脚の角度を左右するため特に重要である。
【０００３】
人間工学的見地から、ペダルＰの回転位置を時計短針に準えて３時の位置（水平位置）乃至２時半の位置にしてそのペダル軸上に足の母指球を乗せたとき、乗り手の膝関節Ｎの鉛直下方にペダル軸が位置するようにサドルＳを位置決めすれば、効率的なペダリング動作が可能となる。
【０００４】
ところが、従来では、サドル後退距離Ｌを、サドルＳの先端を基準にして測定していたため、例えば、サドルを交換した場合には、再度、交換後のサドルについてのサドル後退距離Ｌを測定し直さなければならない難点があった。
【０００５】
また、乗り手がサドルＳに安定に着座するためには、乗り手の骨盤（坐骨）がサドルＳの座面に確りと当接していることが必要である。しかし、サドルの座面形状は個々のサドルにより区々であり、しかも、乗り手の骨盤の幅（坐骨幅）も個体差があるため、従来のサドル先端部を基準にしたサドル後退距離Ｌの測定によっては、各乗り手が個々のサドルを最適な位置に位置決めすることは困難であった。
【０００６】
現在までに、自転車のサドルを位置決めするための器具として、下記の特許文献１に記載のものが知られている。しかしながら、この器具は、単に自転車のサドル高Ｈ（クランク軸中心Ａからサドル座面までの距離）を測定するものに過ぎなかった。
【先行技術文献】
【特許文献】
【０００７】
【特許文献１】特開２０００−９４０１号公報
【発明の概要】
【発明が解決しようとする課題】
【０００８】
本発明は、従来の自転車のサドル位置決め作業に上記のような難点があったことに鑑みて為されたもので、たとえサドルを交換した場合であっても、交換後のサドルを乗り手の骨格に応じて、効率的なペダリング動作が可能な最適な位置に簡単に位置決めすることができる自転車のサドル位置決め装置を提供することを目的とする。
【課題を解決するための手段】
【０００９】
本発明は、自転車のサドルを乗り手に応じて位置決めするサドル位置決め装置であって、鉛直方向に立てられた支柱と、前記支柱に沿って上下移動可能に設けられ、前記自転車のクランクの先端に固定される下スライダと、前記下スライダの上方において前記支柱に沿って上下移動可能に設けられた上スライダと、一端側に前記下スライダに第一水平軸周りに回動可能に連結された前部連結部材が設けられ、他端側には後部連結部材が設けられた下アームと、一端側に前記下アームの後部連結部材に第二水平軸周りに回動可能に連結され、所定の回動位置で固定可能な後部連結部材が設けられ、他端側には前記上スライダに第三水平軸周りに回動可能に連結された前部連結部材が設けられた中アームと、一端側に前記中アームの前部連結部材に連結された前部連結部材が設けられ、他端側には後部連結部材が設けられ、前記中アームと所定の角度を成す上アームと、一端側に前記上アームの後部連結部材に連結された基部連結部材が設けられ、該基部連結部材から前記上アームと直角を成して水平に延びる水平アームと、前記水平アームに沿って水平移動可能に設けられ、前記サドルと当接する左右一対のガイド部材と、を備え、
前記下アームの前部連結部材または後部連結部材が、該下アームに沿って相対移動し所定の移動位置で固定可能に設けられており、前記第一水平軸と前記第二水平軸との距離を前記乗り手の足の母指球から踝までの長さに応じて調節可能とされ、
前記中アームの後部連結部材または前部連結部材が、該中アームに沿って相対移動し所定の移動位置で固定可能に設けられており、前記第二水平軸と前記第三水平軸との距離を前記乗り手の下腿部の長さに応じて調節可能とされ、
前記上アームの前部連結部材または後部連結部材が、該上アームに沿って相対移動し所定の移動位置で固定可能に設けられており、前記第三水平軸と前記水平アームとの距離を前記乗り手の大腿部の長さに応じて調節可能とされ、
前記一対のガイド部材が、前記水平アームに沿って相対移動し所定の移動位置で固定可能に設けられており、該ガイド部材同士の間隔を前記乗り手の坐骨幅に応じて調節可能とされていることを特徴としている。
【００１０】
また、本発明は、前記下アームの前部連結部材が該下アームの一端部に固設されている一方、該下アームの後部連結部材が該下アームの他端側に沿って移動可能に設けられ、
前記中アームの後部連結部材が該中アームの一端側に沿って移動可能に設けられている一方、該中アームの前部連結部材が該中アームの他端部に固設され、
前記上アームの前部連結部材が該上アームの一端部に固設され、前記中アームの前部連結部材と一体に設けられている一方、該上アームの後部連結部材が該上アームの他端側に沿って移動可能に設けられていることを特徴としている。
【００１１】
また、本発明は、前記水平アームの基部連結部材が、該水平アームの一端部に固設されている一方、該水平アームの他端側にパイプ部材が該水平アームに沿って移動可能に被嵌され、
前記一のガイド部材が、前記パイプ部材に固設され、前記水平アーム上を移動し所定の移動位置で該水平アームに固定可能に設けられ、
前記他のガイド部材が、前記パイプ部材上を移動し所定の移動位置で該パイプ部材に固定可能に設けられていることを特徴としている。
【発明の効果】
【００１２】
本発明に係る自転車のサドル位置決め装置によれば、乗り手の骨盤の幅（坐骨幅）に応じて間隔を調整した一対のガイド部材をサドルの座面の凸湾曲面もしくは平坦面に当接させることによって、サドルの位置決めを行うことができるので、たとえサドルを交換した場合でも、交換後のサドルを簡単に乗り手の骨格に応じて最適な位置に位置決めすることができる。
【００１３】
しかも、骨盤の幅（坐骨幅）を含む乗り手の身体の一部を予め測定しておきさえすれば、必ずしも乗り手が繰り返し自転車に乗車しなくても、サドルを乗り手の骨格に応じて効率的なペダリング動作が可能な位置に位置決めすることができ、サドル位置決め作業を格段に容易化することができる。
【図面の簡単な説明】
【００１４】
【図１】本実施形態の自転車のサドル位置決め装置の全体側面図である。
【図２】本実施形態の自転車のサドル位置決め装置の下スライダ及び下アームの部分断面平面図である。
【図３】本実施形態の自転車のサドル位置決め装置の下アーム及び中アームの部分断面平面図である。
【図４】本実施形態の自転車のサドル位置決め装置の上アーム、水平アーム及びガイド部材の部分断面平面図である。
【図５】本実施形態の自転車のサドル位置決め装置の水平アーム及びガイド部材の部分正面図とサドルの横断面図である。
【図６】図３中のＳ１−Ｓ１線の矢視横断面図である。
【図７】図３中のＳ２−Ｓ２線の矢視横断面図である。
【図８】図３中のＳ３−Ｓ３線の矢視縦断面図である。
【図９】図４中のＳ４−Ｓ４線の矢視横断面図である。
【図１０】本実施形態の自転車のサドル位置決め装置の実施変形例の全体側面図である。
【図１１】従来のサドルを位置決めするためのサドル後退距離Ｌ及びサドル高Ｈを説明する側面図である。
【発明を実施するための形態】
【００１５】
本実施形態の自転車のサドル位置決め装置１０は主として、図１に示すように、地面Ｇ１上に鉛直方向に立てられた支柱１と、この支柱１に沿ってそれぞれ上下移動可能に設けられた下スライダ２及び上スライダ３と、一端側が下スライダ２に回動可能に連結された下アーム４と、一端側が下アーム４に連結され、他端側が上スライダ３に回動可能に連結された中アーム５と、一端側が中アーム５に連結された上アーム６と、一端側が上アーム６に連結された水平アーム７と、水平アーム７に沿って移動可能に設けられた左右一対のガイド部材８・８と、から構成されている。
【００１６】
支柱１は、地面Ｇ１に安定に載置可能な基台１１上に立設された丸棒材から形成されており、地球中心を向く鉛直方向に立てることができる。また、基台１１には、水平器１２が設けられている。
【００１７】
下スライダ２は、図２に示すように、支柱１を挿通可能な円筒材から形成され、支柱１に沿って適宜、上下移動させることができる。下スライダ２の側面には、ネジ孔２１が形成されており、このネジ孔２１に、自転車ＢのクランクＣの先端のペダル軸孔ＰＨに挿通した固定ボルト２２を螺合し締結することによって、下スライダ２をクランクＣの先端に固定することができる。また、下スライダ２には、前記ネジ孔２１とは反対側に、ピン材から成る第一水平軸Ａ１が螺着されており、下スライダ２をクランクＣの先端に固定したとき、第一水平軸Ａ１の軸心が、クランクＣのペダル軸孔ＰＨの軸心と同心または平行に保たれる。また、本実施形態の下スライダ２は、その側面にネジ孔２３が形成されており、このネジ孔２３に止めネジ２４を螺入することによって、下スライダ２を支柱１の所定の高さ位置に固定することができる。
【００１８】
上スライダ３は、図３に示すように、支柱１を挿通可能な円筒材から形成され、上記下スライダ２の上方において、支柱１に沿って適宜、上下移動させることができる。上スライダ３の側面には、ピン材から成る第三水平軸Ａ３が螺着されており、第三水平軸Ａ３の軸心は第一水平軸Ａ１の軸心と平行にされている。また、本実施形態の上スライダ３は、その側面にネジ孔３１が形成されており、このネジ孔３１に止めネジ３２を螺入することによって、上スライダ３を支柱１の所定の高さ位置に固定することができる。
【００１９】
下アーム４は、図２及び図３に示すように、棒材から成り、一端側に上記下スライダ２と第一水平軸Ａ１周りに回動可能に連結された前部連結部材４１が設けられ、他端側には後部連結部材４２が設けられている。
【００２０】
本実施形態の下アーム４は、前部連結部材４１が下アーム４の一端部に固設されている一方、後部連結部材４２は、下アーム４の他端側において下アーム４に沿って移動可能に設けられている。即ち、後部連結部材４２には、貫通孔４３が開設され、この貫通孔４３に下アーム４の他端側が相対移動可能に挿通されている。そして、後部連結部材４２には、貫通孔４３と直角を成すネジ孔４４が形成されており、このネジ孔４４に止めネジ４５を螺入することによって、後部連結部材４２を下アーム４の所定の移動位置に固定することができる。
【００２１】
また、後部連結部材４２には、下アーム４と直角を成す第二水平軸Ａ２が突設されている。そして、下アーム４の他端側は、その周面の一部に平坦面４６が形成され、図６に示すように横断面が略Ｄ字形状を成している。止めネジ４５を締めて後部連結部材４２を下アーム４に固定したとき、第二水平軸Ａ２の軸心は、第一水平軸Ａ１の軸心と平行に保たれる。また、下アーム４の他端側には、１００〜２４０ｍｍの範囲で不図示の目盛が付されており、この目盛を目安に後部連結部材４２を移動させることによって、第一水平軸Ａ１と第二水平軸Ａ２との距離をこの範囲で簡単に設定することができる。
【００２２】
中アーム５は、図３に示すように、棒材から成り、一端側には上記下アーム４の後部連結部材４２と第二水平軸Ａ２周りに回動可能に連結され、所定の回動位置で固定可能な後部連結部材５１が設けられ、他端側には上記上スライダ３と第三水平軸Ａ３周りに回動可能に連結された前部連結部材５２が設けられている。
【００２３】
本実施形態の中アーム５は、後部連結部材５１が中アーム５の一端側において中アーム５に沿って移動可能に設けられている一方、前部連結部材５２は、中アーム５の他端部に固設されている。即ち、後部連結部材５１には、貫通孔５３が開設され、この貫通孔５３に中アーム５の一端側が相対移動可能に挿通されている。そして、後部連結部材５１には、貫通孔５３と直角を成すネジ孔５４が形成されており、このネジ孔５４に止めネジ５５を螺入することによって、後部連結部材５１を中アーム５の所定の移動位置に固定することができる。
【００２４】
また、後部連結部材５１には、第二水平軸Ａ２を軸受けする軸受孔５６が中アーム５と直角を成して形成され、この軸受孔５６にボールプランジャ５７が配設されている。このボールプランジャ５７を第二水平軸Ａ２に圧接させることによって、第二水平軸Ａ２で相対回動する後部連結部材５１と下アーム４の後部連結部材４２とを所定の回動位置で固定し、中アーム５と下アーム４とを所定の角度位置で固定することができる。
【００２５】
また、中アーム５の一端側は、その周面の一部に平坦面５８が形成されており、図７に示すように、横断面が略Ｄ字形状を成している。止めネジ５５を締めて後部連結部材５１を中アーム５に固定したとき、第二水平軸Ａ２の軸心と第三水平軸Ａ３の軸心とが平行に保たれる。また、中アーム５の一端側には、３００〜４５０ｍｍの範囲で不図示の目盛が付されており、この目盛を目安に後部連結部材５１を移動させることによって、第二水平軸Ａ２と第三水平軸Ａ３との距離をこの範囲で簡単に設定することができる。
【００２６】
上アーム６は、図４に示すように、棒材から成り、一端側には上記中アーム５の前部連結部材５２と連結された前部連結部材６１が設けられ、他端側には後部連結部材６２が設けられている。
【００２７】
本実施形態の上アーム６は、前部連結部材６１が上アーム６の一端部に固設されている一方、後部連結部材６２は、上アーム６の他端側において上アーム６に沿って移動可能に設けられている。即ち、前部連結部材６１は、図８に示すように、中アーム５の前部連結部材５２と一体に設けられており、上アーム６は中アーム５と直角を成している。一方、後部連結部材６２には、図４に示すように、貫通孔６３が開設され、この貫通孔６３に上アーム６の他端側が相対移動可能に挿通されている。そして、後部連結部材６２には、貫通孔６３と直角を成すネジ孔６４が形成されており、このネジ孔６４に止めネジ６５を螺入することによって、後部連結部材６２を上アーム６の所定の移動位置に固定することができる。
【００２８】
また、上アーム６の他端側は、その周面の一部に平坦面６６が形成され、図９に示すように、横断面が略Ｄ字形状を成している。止めネジ６５を締めて後部連結部材６２を上アーム６に固定したとき、水平アーム７が第三水平軸Ａ３の軸心と平行に保たれる。また、上アーム６の他端側には、２５０〜４５０ｍｍの範囲で不図示の目盛が付されており、この目盛を目安に後部連結部材６２を移動させることによって、第三水平軸Ａ３と水平アーム７との距離をこの範囲で簡単に設定することができる。
【００２９】
水平アーム７は、図４及び図５に示すように、棒材から成り、一端側に上記上アーム６の後部連結部材６２と連結された基部連結部材７１が設けられ、基部連結部材７１から上アーム６と直角を成して水平に延びている。本実施形態では、基部連結部材７１が水平アーム７の一端部に固設されている一方、該水平アーム７の他端側には、パイプ部材７２が水平アーム７に沿って移動可能に被嵌されている。
【００３０】
一対のガイド部材８・８は、図４に示すように、自転車のサドルＳの座面を挟むようにサドルＳに当接する。本実施形態では、左右一対のガイド部材８・８のうち、右側のガイド部材８は、パイプ部材７２の一端部に固設された第一移動部材８１に設けられており、左側のガイド部材８は、パイプ部材７２の他端側においてパイプ部材７２に沿って移動可能な第二移動部材８２に設けられている。
【００３１】
第一移動部材８１は、パイプ部材７２と共に水平アーム７上を移動させることができ、側面に形成されたネジ孔８３に止めネジ８４を螺入することによって、所定の移動位置で水平アーム７に固定することができる。一方、第二移動部材８２は、パイプ部材７２上を移動させることができ、側面に形成されたネジ孔８５に止めネジ８６を螺入することによって、所定の移動位置でパイプ部材７２に固定することができる。パイプ部材７２の一端側には、１００〜２００ｍｍの範囲で不図示の目盛が付されており、この目盛を目安に第二移動部材８２を移動させることによって、ガイド部材８同士の間隔をこの範囲で簡単に設定することができる。
【００３２】
以下、本実施形態の自転車のサドル位置決め装置１０によるサドルＳの位置決め作業について説明する。
【００３３】
まず、乗り手の身体各部を予め測定しておく。即ち、乗り手の足の母指球から踝までの長さ、下腿部の長さ、大腿部の長さ、及び骨盤の坐骨幅を測定しておく。
【００３４】
次いで、図１に示すように、下スライダ２を支柱１に沿って適宜上下移動させながら、下スライダ２を自転車ＢのクランクＣの先端に固定する。そして、クランクＣの先端に固定した高さ位置で止めネジ２４を締めて下スライダ２を支柱１に固定する。ここでは、クランクＣの回転位置を時計の短針に準えて２時半の位置にした状態で下スライダ２を固定しているが、例えば、２時の位置、１時の位置、１２時の位置等にして下スライダ２を固定することもできる。これらクランクＣの各回転位置を基準にしてサドル位置を導き出すことができる。
【００３５】
次いで、下アーム４の後部連結部材４２を下アーム４に沿って移動させ、第一水平軸Ａ１と第二水平軸Ａ２との距離を乗り手の足の母指球から踝までの長さに応じて調節し、止めネジ４５を締めて固定する。また、同様に、中アーム５の後部連結部材５１を中アーム５に沿って移動させ、第二水平軸Ａ２と第三水平軸Ａ３との距離を乗り手の下腿部の長さに応じて調節し、止めネジ５５を締めて固定する。
【００３６】
なお、これら下アーム４及び中アーム５の距離調節作業は、上スライダ３を支柱１に沿って適宜上下移動させながら行うが、第二水平軸Ａ２において下アーム４と中アーム５との角度を変えながら行ってもよい。下アーム４と中アーム５との角度は、乗り手の足首を直角にしたとき、母指球と踝とを結ぶ直線と、踝と膝関節とを結ぶ直線とが成す角度（約１２０°）を基準にして設定される。下アーム４及び中アーム５の距離調節を終えた後、止めネジ３２を締めて上スライダ３を支柱１に固定するとともに、下アーム４と中アーム５との角度もかかる基準角度で固定する。
【００３７】
次いで、図４に示すように、上アーム６の後部連結部材６２を上アーム６に沿って移動させ、第三水平軸Ａ３と水平アーム７との距離を乗り手の大腿部の長さに応じて調節し、止めネジ６５を締めて固定する。
【００３８】
次いで、ガイド部材８の第二移動部材８２をパイプ部材７２に沿って移動させ、一対のガイド部材８同士の間隔を乗り手の坐骨幅に応じて調節し、止めネジ８６を締めて固定する。そして、第一移動部材８１をパイプ部材７２と共に、水平アーム７に沿って移動させ、ガイド部材８同士の間隔の中心を自転車の基準中心面ＣＰに合わせて調節し、止めネジ８４を締めて固定する。
【００３９】
そして、予め後退位置に仮止めしておいたサドルＳを前進させ、サドルＳの座面を一対のガイド部材８に当接させれば、このサドルＳを乗り手の骨格に応じて位置決めすることができるのである。図５に示すように、サドルＳの座面は、その先端から後端に向かうに従って凸湾曲形状から平坦形状に変化してゆく。一対のガイド部材８は、このサドルＳの凸湾曲面もしくは平坦面に当接することになる。本実施形態の自転車のサドル位置決め装置１０を用いてサドルＳの位置決めを行った後は、例えば乗り手の好み等に応じて微調節を行うだけで済む。
【００４０】
このように本実施形態の自転車のサドル位置決め装置１０によれば、乗り手の骨盤の幅（坐骨幅）に応じて間隔を調節した一対のガイド部材８を、サドルＳの座面の凸湾曲面もしくは平坦面に当接させることによって、サドルＳの位置決めを行うことができるので、たとえサドルＳを交換した場合でも、交換後のサドルを簡単に乗り手の骨格に応じて最適な位置に位置決めすることができる。
【００４１】
しかも、骨盤の幅（坐骨幅）を含む乗り手の身体の一部を予め測定しておきさえすれば、必ずしも乗り手が繰り返し自転車に乗車しなくても、サドルを乗り手の骨格に応じて効率的なペダリング動作が可能な位置に位置決めすることができ、サドル位置決め作業を格段に容易化することができる。
【００４２】
また、本実施形態の自転車のサドル位置決め装置１０は、下アーム４の他端側に移動可能に設けた後部連結部材４２と中アーム５の一端側に移動可能に設けた後部連結部材５１とを第二水平軸Ａ２で回動可能に連結しているので、下アーム４及び中アーム５の調節作業を同じ所で行うことができ、効率的な調節作業が可能となる。また、上アーム６の後部連結部材６２を上アーム６の他端側に移動可能に設けているので、上アーム６及びガイド部材８の調節作業についても同じ所で行うことができ、効率的な調節作業を行うことができる。
【００４３】
また、本実施形態の自転車のサドル位置決め装置１０は、水平アーム７の他端側にパイプ部材７２を移動可能に設け、一のガイド部材８をパイプ部材７２に個設し、他のガイド部材８をパイプ部材７２に移動可能に設けているので、一対のガイド部材８同士の間隔を設定した後、簡単にガイド部材８同士の間隔の中心を自転車の基準中心面ＣＰに合わせることができ、効率的な調節作業を行うことができる。
【００４４】
以上、本実施形態の自転車のサドル位置決め装置１０について説明したが、本発明はその他の形態でも実施することができる。
【００４５】
例えば、図１０に示す、自転車のサドル位置決め装置２０のように実施してもよい。このサドル位置決め装置２０は、支柱１の基台１１に、基台１１の高さ調節を可能にする複数の調節ボルト１３を設けた点に特徴がある。各調節ボルト１３を適宜螺進させることによって、傾斜地面Ｇ２上においても支柱１を鉛直方向に立てることができ、傾斜地面Ｇ２に斜めに立てた自転車ＢについてサドルＳの位置決めを行うことができる。このことで、登坂姿勢を考慮したサドルの位置決めを行うことが可能となる。同様に、各調節ボルト１３を調節して下り勾配の傾斜地面上に支柱１を鉛直方向に立てて降坂姿勢を考慮したサドルの位置決めを行うことも可能である。
【００４６】
また、上記実施形態では、下アーム４の前部連結部材４１を下アーム４の一端部に固設する一方、後部連結部材４２を下アーム４の他端側に移動可能に設けているが、本発明は決してこれに限定されるものではなく、下アーム４の前部連結部材４１を下アーム４の一端側に移動可能に設ける一方、後部連結部材４２を下アーム４の一端部に固設してもよい。また、中アーム５の後部連結部材５１を中アーム５の一端部に固設する一方、前部連結部材５２を中アーム５の他端側に移動可能に設けてもよい。また、上アーム６の前部連結部材６１を上アーム６の一端側に移動可能に設ける一方、後部連結部材６２を上アーム６の他端部に固設してもよい。下アーム４、中アーム５、又は上アーム６の調節作業性を考慮して種々の選択が可能である。
【００４７】
また、上記実施形態では、サドルＳに当接させるべきガイド部材８の当接部を棒状に形成しているが、本発明は勿論これに限定されるものではなく、例えば坐骨の突起形状を模倣して形成してもよい。
【００４８】
その他、本発明はその趣旨を逸脱しない範囲内で、当業者の知識に基づいて種々の改良、修正、変形を加えた態様で実施することができる。同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。
【符号の説明】
【００４９】
１０；自転車のサドル位置決め装置
１；支柱
２；下スライダ
３；上スライダ
４；下アーム
４１；前部連結部材
４２；後部連結部材
５；中アーム
５１；前部連結部材
５２；後部連結部材
６；上アーム
６１；前部連結部材
６２；後部連結部材
７；水平アーム
７１；基部連結部材
７２；パイプ部材
８；ガイド部材
８１；第一移動部材
８２；第二移動部材
Ａ１；第一水平軸
Ａ２；第二水平軸
Ａ３；第三水平軸
Ｂ；自転車
Ｓ；サドル
Ｃ；クランク
Ｇ１、Ｇ２；地面
【図１】
2011105268.tif 000003
【図２】
2011105268.tif 000004
【図３】
2011105268.tif 000005
【図４】
2011105268.tif 000006
【図５】
2011105268.tif 000007
【図６】
2011105268.tif 000008
【図７】
2011105268.tif 000009
【図８】
2011105268.tif 000010
【図９】
2011105268.tif 000011
【図１０】
2011105268.tif 000012
【図１１】
2011105268.tif 000013